(57)【要約】【課題】本発明は使用者が腰を下したり立ち上がったりすることが容易に出来るよう、あるいは排便が楽に出来るように便座を任意角度に前傾させることを課題とする。【解決手段】便器本体２上面に前端部を中心として上下回動可能な上板３０を載置し、該上板３０中央部設けた便バケツ挿入孔３１に便バケツ３３を挿入懸架し、該上板３０上に該上板３０後端部に枢着した便座３６を載置し、該上板３０後部裏面には根端を該便器本体２側に枢着した伸び速度制御可能なロック付きガススプリング１４のロッド１９先端を枢着し、該便器本体２と該上板３０との間には上板３０の傾斜最大角度を規制する手段２５が差渡されている簡易便器１を提供する。上記構成では便座３６の前傾に便バケツ３３も追従し、便座３６と便バケツ３３との間に隙間が形成されない。しかも便座３６の回動速度や傾斜最大角度も調節出来るから、便バケツ３３の内容物もこぼれるおそれがない。またガススプリング１４は安価に入手できる。【選択図】　　図７
2004097470.tif 000002
【特許請求の範囲】
【請求項１】
便器本体上面に前端部を中心として上下回動可能な上板を載置し、該上板中央部には便バケツ挿入孔を設け、該便バケツ挿入孔には便バケツを挿入懸架し、該上板上には便バケツ挿入孔の周りに後端を該上板の後端部に枢着した便座を載置し、該上板後部裏面には根端を該便器本体側に枢着した伸び速度制御可能なロック付きガススプリングのロッド先端が枢着されており、該便器本体と該上板との間には上板の傾斜最大角度を規制する手段が差渡されていることを特徴とする簡易便器。
【請求項２】
該便器本体上部に前端部を中心として回動可能に回動枠が取付けられており、該上板は該回動枠上に載置されている請求項１に記載の簡易便器。
【請求項３】
該回動枠の両側にはアームレストが支持されている請求項２に記載の簡易便器。
【請求項４】
該アームレストの前端部は該回動枠から立設されている支持片によって支持され、該支持片に補助支持具が着脱自在に取付けられている請求項３に記載の簡易便器。
【発明の詳細な説明】
【０００１】
【発明の属する技術分野】
本発明は便座の傾斜角度を調節可能にした簡易便器に関するものである。
【０００２】
【従来の技術】
この種の簡易便器は身体障害者や老人等の体力のない人によって使用される。このような体力のない人にとっては該簡易便器に腰かけたり、該簡易便器から立上がったりする時、便座が水平であると大きな労力を要する。便座が水平であると排便に適した前傾姿勢がとりにくい。
そこで従来図１１（ａ）に示すように便器本体（４２）の上面に前端部を枢着して上下回動可能にした座板（４３）をばね（４４）によって上方に回動する方向に付勢した構成が提供されている（例えば、特許文献１参照。）。
上記構成では、使用者が便器に腰かけたり立上がったりする際に図１１（ｂ）に示すようにばね（４４）の付勢力によって座板（４３）を後端が高くなるように傾斜（前傾）させることにより、使用者の労力を軽減するものである。
更に上記ばねに代えて電動アクチュエーターと４節リンクによって便座を前傾させる構成も提供されている（例えば、特許文献２参照。）。
【０００３】
【特許文献１】
実開昭６１−１１８２３６号公報（第２図）
【特許文献２】
特開２０００−１８４９９０号公報（第４−５頁、図１）
【０００４】
【発明が解決しようとする課題】
上記従来構成のうち、ばね方式のものにあっては、座板の傾斜角度を調節することが出来ず、使用者が排便に適した前傾姿勢をとりにくい。また座板（４３）を傾斜させると便器（４５）との間に隙間が形成され、このまゝの状態で使用すれば排泄物が外部に漏れてしまうと云う問題点もある。
また電動方式のものは構造が複雑で高価になりかつ前者と同様便座と便器との間に隙間が形成され、排泄物が外部に漏れてしまうと云う問題点がある。
【０００５】
【課題を解決するための手段】
本発明は上記従来の課題を解決するための手段として、便器本体（２）　上面に前端部を中心として上下回動可能な上板（３０）を載置し、該上板（３０）中央部には便バケツ挿入孔（３１）を設け、該便バケツ挿入孔（３１）には便バケツ（３３）を挿入懸架し、該上板（３０）上には便バケツ挿入孔（３１）の周りに後端を該上板（３０）の後端部に枢着した便座（３６）を載置し、該上板（３０）後部裏面には根端を該便器本体（２）　側に枢着した伸び速度制御可能なロック付きガススプリング（１４）のロッド（１９）先端が枢着されており、該便器本体（２）　と該上板（３０）との間には上板（３０）の傾斜最大角度を規制する手段（２５）が差渡されている簡易便器（１）　を提供するものである。
該便器本体（２）　上部に前端部を中心として回動可能に回動枠（１１）が取付けられており、該上板（３０）は該回動枠（１１）上に載置されていることが望ましく、また該回動枠（１１）の両側にはアームレスト（１０）が支持されていることが望ましい。また更に該アームレスト（１０）の前端部は該回動枠（１１）から立設されている支持片（９）　によって支持され、該支持片（９）　に補助支持具（４１）が着脱自在に取付けられていることが望ましい。
【０００６】
【作用】
上板（３０）をガススプリング（１４）を作動させ、後端が高くなるように傾斜（前傾）　させる。該ガススプリング（１４）はロック付きであるから、上板（３０）即ち便座（３６）を任意の傾斜角度に調節することが出来る。このようにして上板（３０）即ち便座（３６）を所望の角度に調節しつゝ、あるいは調節してから使用者が便器（１）　に腰かけたり、排便を行なったり、便器（１）　から立上がったりする。またガススプリング（１４）は安価に入手できる。
【０００７】
該上板（３０）の便バケツ挿入孔（３１）には便バケツ（３３）が挿入懸架されているから、該上板（３０）の傾斜に該便バケツ（３３）が追従し、上板（３０）と便バケツ（３３）との間に隙間が形成されない。したがって上板（３０）を傾斜させたまゝで排便しても排泄物が外に漏れない。また該ガススプリング（１４）は伸び速度制御可能であるから、便バケツ（３３）の内容物がこぼれないようなゆっくりした速度で上板（３０）を傾斜させることが出来る。
該便器本体（２）　上部に前端部を中心として回動可能に回動枠（１１）が取付けられており、該上板（３０）は該回動枠（１１）上に載置されている構成において、該回動枠（１１）の両側にはアームレスト（１０）が支持されている場合には、便座（３６）の前傾にともなってアームレスト（１０）も追従するから、前傾状態の便座（３６）に腰をかけた使用者はアームレスト（１０）によって体を安定に支持することが出来る。
【０００８】
更に該便器本体（２）　と該上板（３０）との間には上板（３０）の傾斜最大角度を規制する手段（２５）が差渡されているから、傾斜角度が大き過ぎて便バケツ（３３）から内容物がこぼれてしまうようなことがない。
【０００９】
【発明の実施の形態】
本発明を図１〜図７に示す一実施例によって説明すれば、簡易便器（１）　の本体（２）　は左右一対の側枠（３，３）　と、前後覆板（４，５）　と、該側枠（３，３）　を支持している脚部（６，６）　とからなり、該脚部（６，６）　は高さ調節可能とされている。該側枠（３，３）　の上辺後端からは背もたれ枠（７，７）　が上方に延設されており、左右一対の背もたれ枠（７，７）　にはクッション性のある背当部（８）　が差渡されている。
【００１０】
上記便器本体（２）　内には回動枠（１１）が収容されており、該回動枠（１１）の両辺前端部のブラケット（１２）は回動軸（１３）を介して該便器本体（２）　の左右両側枠（３，３）　の前上部に回動可能に支持されている。該回動枠（１１）の両側辺前部からはアームレスト（１０，１０）　の前端部を支持する支持片（９，９）　が取付片（９Ａ，９Ａ）　を介して立設されており、該アームレスト（１０，１０）　の後端部は上記背もたれ枠（７，７）　に上下スライド可能に当接支持されている。該アームレスト（１０，１０）　の前端部（１０Ａ，１０Ａ）　は上方へ屈曲され、該前端部（１０Ａ，１０Ａ）　の根部上面には段差（１０Ｂ，１０Ｂ）　が形成されている。そして該便器本体（２）　の前側覆板（４）　下部と該回動枠（１１）の後端部とにはガススプリング（１４）が差渡されている。該ガススプリング（１４）は伸び速度が制御可能でありかつ任意の伸び状態でロックすることが出来るロックが付されている。このようなガススプリング（１４）としては、例えばトキコ株式会社製ロック付きガススプリングＬＨ２１０等がある。
【００１１】
該ガススプリング（１４）はチューブ（１５）の根端ブラケット（１６）を前側覆板（４）　下端部のブラケット（１７）に回動軸（１８）を介して回動可能に支持され、ロッド（１９）の先端ブラケット（２０）を該回動枠（１１）の側辺後端部のブラケット（２１）に回動軸（２２）を介して回動可能に支持されている。そして該ガススプリング（１４）をロックまたはロック解除するためのレバー（２３）はブラケット（２３Ａ）　を介して一方のアームレスト（１０）の先端部に着脱可能に取付けられており、該レバー（２３）と該ガススプリング（１４）との間には操作ワイヤ（２４）が差渡されている。そして該レバー（２３）はロック方向（図４矢印イ方向）にスプリング付勢されている。
【００１２】
更に該回動枠（１１）の後辺と該便器本体（２）　の後側覆板（５）　との間には、該回動枠（１１）の傾斜最大角度を規制するためのチェーン（２５）が差渡されている。該チェーン（２５）の根端は該後側覆板（５）　の下部のブラケット（２６）に固定され、先端部分は図５に示すように該回動枠（１１）の後辺の取付筒（２７）の下孔（２８）に通され、先端にはストッパーリング（２９）が取付けられている。
【００１３】
図２に示すように該回動枠（１１）上には上板（３０）が載置されるが、該上板（３０）の中央部には便バケツ挿入孔（３１）が設けられており、該便バケツ挿入孔（３１）の周縁フランジ（３２）には便バケツ（３３）の上縁フランジ（３４）が係合され、このようにして該便バケツ（３３）は該上板（３０）の便バケツ挿入孔（３１）に挿入懸架される。なお該便バケツ（３３）には把手（３５）が付されている。
【００１４】
該上板（３０）の後縁には便座（３６）の後縁がヒンジ（３７，３７）　を介して枢着されており、該便座（３６）の中央部には便落とし孔（３８）が設けられている。更に該便座（３６）上には座部（３９）が載置されるが、該座部（３９）は図２に示すようにその両側をスライドリンク（４０，４０）　によって便器本体（２）　の両側枠（３，３）　と接続され、便座（３６）上から左右の背もたれ枠（７，７）　間を後方にスライドさせることによって撤去される。
【００１５】
図１に示すように便座（３６）上に座部（３９）を載置した状態で、本簡易便器（１）　は椅子として使用することが出来、便器として使用する場合には、図６に示すように該座部（３９）を後方にスライドさせ、使用者は便座（３６）上に腰を下ろす。この場合レバー（２３）を握って図４矢印イ逆方向に回動させるとガススプリング（１４）のロックがはずれ回動枠（１１）がアームレスト（１０）と共に上方へ回動し、回動枠（１１）および上板（３０）を介して便バケツ（３３）と共に便座（３６）が前傾する。前記したようにガススプリング（１４）は伸び速度制御可能であり、該回動枠（１１）の回動速度は望ましくは５°／秒〜２０°／秒に設定される。この範囲の回動速度であれば遅過ぎずかつ便バケツ（３３）内に内容物が入っていてもこぼれることがない。
【００１６】
該便座（３６）の所望の前傾角度でレバー（２３）をはなせばレバー（２３）はスプリングの付勢力によって矢印イ方向に回動してガススプリング（１４）はロックされ、該便座（３６）をこの前傾角度で固定することが出来る。更に回動枠（１１）を上方へ回動させると回動枠（１１）と便器本体（２）　の後側覆板（５）　との間に差渡されているチェーン（２５）が伸び切って図７に示す傾斜最大角度θで該チェーン（２５）の先端ストッパーリング（２９）が取付筒（２７）の下孔（２８）に係止され、回動枠（１１）がこの角度以上に回動しないよう阻止される。θは１０°〜３５°の範囲に設定することが望ましい。θ＞３５°では便バケツ（３３）内の内容物がこぼれたり、便座（３６）上に腰掛けている使用者がバランスを崩して転倒する危険性がある。
【００１７】
便座（３６）の前傾角度を緩くしたり、便座（３６）を水平状態（θ＝０°）に戻したい時には、レバー（２３）を握って矢印イ逆方向に回動させてガススプリング（１４）のロックを解除し、便座（３６）を押下げる。そしてレバー（２３）を離してガススプリング（１４）をロックすれば該便座（３６）はその位置で固定される。
【００１８】
本実施例の便器（１）　のアームレスト（１０）の前部には、例えば図８に示すように補助支持具（４１）を取付けてもよい。該補助支持具（４１）は図９に示すようにグリップ（４４）を付けた前アーム部（４２）と、取付板（４５）を付けた後アーム部（４３）とからなり、該後アーム部（４３）は該前アーム部（４２）にスライド可能に内挿され、所望の長さでねじ（４６）を締付け固定する。かくして補助支持具（４１）は長さを調節することが可能である。そして取付板（４５）には３個のボルト孔（４７Ａ，４７Ｂ，４７Ｃ）　が縦列されており、その下側には長孔（４８）が設けられており、一方便器（１）　のアームレスト（１０）の支持片（９）　には２個のボルト孔（４９Ａ，４９Ｂ）　が縦列されており、該補助支持具（４１）の取付板（４５）の３個のボルト孔（４７Ａ，４７Ｂ，４７Ｃ）　のうちの１個を選んでそれを該アームレスト（１０）の支持片（９）　の上側のボルト孔（４９Ａ）　に合わせ、ボルト（５０）とナット（５１）とにより固定する。更に該アームレスト（１０）と支持片（９）　の下側のボルト孔（４９Ｂ）　と該補助支持具（４１）の取付板（４５）の長孔（４８）とにボルト（５０Ａ）　を貫通させ、ナット（５１Ａ）　を螺着し締付け固定する。
【００１９】
このようにして補助支持具（４１）は３段階で高さ調節可能にアームレスト（１０）の前部に取付けられる。そしてガススプリング（１４）のレバー（２３）はブラケット（２３Ａ）　を介して該補助支持具（４１）側に取付けられる。該補助支持具（４１）は両方のアームレスト（１０）に取付けられてもよいし、片方のアームレスト（１０）にのみ取付けられてもよい。
【００２０】
該補助支持具（４１）は便座（３６）前傾状態で使用者が腰かけた場合、使用者が手で該補助支持具（４１）を握って体を支え、前にのめらないようにするために有用である。
【００２１】
本発明は上記実施例によって限定されるものではない。例えば上板（回動枠（１１））の傾斜最大角度規制手段としては、図１０に示すようにチェーンに代えてリンク（２５Ａ）　等を使用してもよい。また回動枠を省いて上板を直接便器本体に枢着してもよい。
【００２２】
【発明の効果】
本発明では、低コストの機構で便座を前傾させることが出来、便座を任意角度に前傾させて使用しても、排泄物が外部にこぼれることがなく、また便座を回動させて水平状態から前傾させても、あるいは前傾角度を調節しても、あるいは前傾状態から水平状態にしても、便バケツから内容物がこぼれることがない。
【図面の簡単な説明】
図１〜図９は本発明の一実施例を示すものである。
【図１】椅子状態の斜視図
【図２】分解斜視図
【図３】便座はねあげ状態斜視図
【図４】便座傾斜機構説明図（水平状態）
【図５】チェイン先端部拡大斜視図
【図６】便器として使用状態斜視図
【図７】便座傾斜機構説明図（前傾状態）
【図８】補助支持具を取付けた状態の説明図
【図９】補助支持具の分解説明斜視図
【図１０】他の実施例の説明図
【図１１】（ａ）従来例の側面図（水平状態）
（ｂ）従来例の側面図（前傾状態）
【符号の説明】
１　　　　　　簡易便器
２　　　　　　便器本体
１０　　　　　アームレスト
１１　　　　　回動枠
１４　　　　　ガススプリング
１９　　　　　　　ロッド
２５　　　　　　　　チェイン（上板の傾斜最大角度を規制する手段）
３０　　　　　　　　上板
３１　　　　　　　　便バケツ挿入孔
３３　　　　　便バケツ
３６　　　　　便座
【図１】
2004097470.tif 000003
【図２】
2004097470.tif 000004
【図３】
2004097470.tif 000005
【図４】
2004097470.tif 000006
【図５】
2004097470.tif 000007
【図６】
2004097470.tif 000008
【図７】
2004097470.tif 000009
【図８】
2004097470.tif 000010
【図９】
2004097470.tif 000011
【図１０】
2004097470.tif 000012
【図１１】
2004097470.tif 000013